(57)【要約】【課題】  回転操作体が遊技者の望む所望の所定回転位置に疲労感なく適切に維持されるパチンコ機の発射操作装置を得る。【解決手段】  遊技機枠１００の前面９０に固定されるグリップ本体２と、グリップ本体の前面に固定されたグリップキャップ４と、グリップキャップ４とグリップ本体２との間に回転可能に設けられた回転操作体３とを備え、グリップ本体２の外面とグリップキャップ４の外面とにはグリップ本体２とグリップキャップ４とにわたる前後方向に延長する一対の前後溝（７３；７２）が設けられ、回転操作体３の周面には回転操作体の前後方向に延長する中央溝７４が設けられ、回転操作体３が回転されることによって中央溝７４と一対の前後溝（７３；７２）とが前後方向に対向して直線的な指挿入溝７７を形成した。【選択図】図１
2006158786.tif 000002
【特許請求の範囲】
【請求項１】
遊技機枠の前面に固定されるグリップ本体と、グリップ本体の前面に固定されたグリップキャップと、グリップキャップとグリップ本体との間に回転可能に設けられた回転操作体とを備え、グリップ本体の外面とグリップキャップの外面とにはグリップ本体とグリップキャップとにわたる前後方向に延長する一対の前後溝が設けられ、回転操作体の周面には回転操作体の前後方向に延長する中央溝が設けられ、回転操作体が回転されることによって中央溝と一対の前後溝とが前後方向に対向して直線的な指挿入溝を形成したことを特
徴とするパチンコ機の発射操作装置。
【発明の詳細な説明】
【技術分野】
【０００１】
本発明は、パチンコ機において、パチンコ球と呼ばれる球を遊技盤の遊技領域に発射する回転操作体が遊技者の望む所望の所定回転位置に疲労感なく適切に維持される発射操作装置に関する。
【背景技術】
【０００２】
図７に示すように、パチンコ機の発射操作装置１０６は、遊技機枠１００の前面に固定されるグリップ本体１０１と、グリップ本体１０１の前面に回転可能に設けられた回転操作体１０２とを備え、グリップ本体１０１の外面にグリップ本体１０１の前後方向に延長する後溝１０３が設けられ、回転操作体１０２の外面にも回転操作体１０２の前後方向に延長する前溝１０４が設けられる。そして、回転操作体１０２が遊技者によって発射操作装置１０６の前側からみて例えば右側（矢印Ｂ方向）に回転されると、グリップ本体１０１と回転操作体１０２とにわたって設けられた図外の戻しばねを巻締めながら前溝１０４と後溝１０３とが前後方向に対向して直線的な指挿入溝１０５を形成する。このように指挿入溝１０５が形成されることによって、回転操作体１０２が遊技者によって遊技者の望む所望の所定回転位置となる。
【特許文献１】実公昭５５−２１７２４号公報
【特許文献２】特開２００２−１１３１６７号公報
【発明の開示】
【発明が解決しようとする課題】
【０００３】
従来の発射操作装置１０６は、遊技者が回転操作体１０２を所定回転位置に維持した場合、戻しばねの復元力が指挿入溝１０５に入れた指１０７に加わり、指挿入溝１０５に入れた指１０７が後溝１０３を中心として動きやすい構造である。つまり、指挿入溝１０５に入れた指１０７が戻しばねの復元力によりＢ方向とは逆回転方向である戻り方向Ａに回転しようとする回転操作体１０２により戻り方向Ａに押されることによって後溝１０３を中心として戻り方向Ａに動きやすい構造である。よって、遊技者が回転操作体１０２を所定回転位置に維持するためには、指挿入溝１０５に入れた指１０７が後溝１０３を中心として戻り方向Ａに動かないように指挿入溝１０５に入れた指１０７に力を加えつづけなければならず、遊技者が疲労困憊となる。また、近年における日本の若人の体格が欧米並みに大型となってきており、このような若人に適合するように、グリップ本体１０１や回転操作体１０２の直径を大きくしたり、回転操作体１０２の前方への突出量を大きくしたりすることが考えられる。けれども、遊技者には体格の小柄な人もいるため、後溝１０３を有するグリップ本体１０１や前溝１０４を有する回転操作体１０２の大形化は、人間工学の観点からすればにわかに採用しがたいものである。
【課題を解決するための手段】
【０００４】
本発明に係るパチンコ機の発射操作装置は、遊技機枠の前面に固定されるグリップ本体と、グリップ本体の前面に固定されたグリップキャップと、グリップキャップとグリップ本体との間に回転可能に設けられた回転操作体とを備え、グリップ本体の外面とグリップキャップの外面とにはグリップ本体とグリップキャップとにわたる前後方向に延長する一対の前後溝が設けられ、回転操作体の周面には回転操作体の前後方向に延長する中央溝が設けられ、回転操作体が回転されることによって中央溝と一対の前後溝とが前後方向に対向して直線的な指挿入溝を形成したことを特徴とする。
【発明の効果】
【０００５】
本発明のパチンコ機の発射操作装置によれば、指挿入溝内に入り込んだ指が閂のように作用するため、遊技者が指挿入溝内に指を置くだけのような負担の少ない操作で疲労感なく回転操作体を所望する所定回転位置に適切に維持することができ、さらに、グリップキャップや回転操作体及びグリップ本体を大形化しても、体格の小柄な遊技者も大柄な遊技者と同様に指挿入溝内に指を置くだけのような負担の少ない操作で疲労感なく回転操作体を所望する所定回転位置に適切に維持することができる。
【発明を実施するための最良の形態】
【０００６】
図１〜図５は本発明の最良の形態であって、図１（ａ）は回転操作体が初期位置に有る場合のパチンコ機の発射操作装置の外観を示し、図１（ｂ）は回転操作体が回転されて形成された指挿入溝を示し、図２は発射操作装置の側面を示し、図３は発射操作装置の断面を示し、図４は発射操作装置を分解して示し、図５は発射操作装置を上から見た場合の回転操作体の動きとそれにより形成される指挿入溝との関係を示す。
【０００７】
図１に示すように、発射操作装置１は、グリップ本体２、回転操作体３、グリップキャップ４を備える。本形態の発射操作装置１は、遊技者の指の先端部が挿入される後溝７２、指の中間部が挿入される中央溝７４、指の根元部が挿入される前溝７３とを備え、回転操作体３の回転により、後溝７２、中央溝７４、前溝７３で形成される直線的な指挿入溝７７を備えるものである。
【０００８】
図４を参照し、発射操作装置１を分解して説明する。グリップ本体２は、筒部５と、筒部５の前面に設けられた皿状の部品収納凹部６と、筒部５を前後に貫通して部品収納凹部６の前方に突出する回転中心軸７と備える。回転中心軸７と筒部５とは互いに固定される。回転中心軸７は回転操作体３の回転中心となる。部品収納凹部６には、グリップ本体側取付支柱８、ベース取付支柱９、部品取付ベース１０、ボリューム（可変抵抗器）１１、戻しばね１２が設けられる。
【０００９】
部品収納凹部６の底部１３には複数のグリップ本体側取付支柱８及び複数のベース取付支柱９が前方に延長するように設けられる。ベース取付支柱９の前面には部品取付ベース１０が取付けられる。部品取付ベース１０には、回転中心軸７を貫通させる筒孔部１４とボリューム１１のボリューム軸１５を貫通させる孔１６とが形成される。ボリューム軸１５を部品取付ベース１０の後面側から孔１６に貫通させて部品取付ベース１０の前方に突出させた状態でボリューム軸１５をボリューム軸１５に取付けた座金１７及びナット１８により部品取付ベース１０の前面に締結することでボリューム１１が部品取付ベース１０に取付けられる。ボリューム１１のボリューム軸１５の先端部２０は先端部２０の外周部の一部が平坦面となるように切除された異形に形成される。この先端部２０が歯車２１の中心孔２１ａに嵌め込まれることによってボリューム軸１５の先端２０に歯車２１が取付けられる。中心孔２１ａは先端部２０を回転しないように整合する異形孔として形成される。
【００１０】
回転操作体３は、円板形状の回転基体２２と、回転基体２２の周面に設けられた３つの指掛け部２３；２４；２５とを備える。通常、左側の指掛け部２３は親指を掛けるための指掛け部、右側の指掛け部２５は中指を掛けるための指掛け部、中央の指掛け部２４は人指し指を掛けるための指掛け部として利用される。回転基体２２の中央には支持孔２６が形成される。回転基体２２における支持孔２６の周りにはグリップ本体側取付支柱８を取り込むための逃孔２７が形成される。回転基体２２の前面にはブッシュ２８が取付けられる。回転基体２２はブッシュ２８を取付けるためのねじ孔２９を備える。回転基体２２の後面には回転中心軸を回転中心として回転可能な回転操作体３と一緒に回転するように歯車３０が取付けられる。歯車３０は中心孔３１と取付孔３２とを備える。ブッシュ２８はフランジ部３３とフランジ部３３の中心から後方に延長して設けられた軸受部３４とフランジ部３３に設けられた取付孔３５とを備える。
【００１１】
図３に示すように、ブッシュ２８は、軸受部３４を支持孔２６の前側から支持孔２６内に嵌め込んだ状態で、取付孔３５及び回転基体２２のねじ孔２９に締結される止ねじ３６により回転基体２２の前面に取付けられる。歯車３０の中心孔３１はブッシュ２８の軸受部３４の軸受孔３７と同径である。歯車３０は、中心孔３１の中心とブッシュ２８の軸受孔３７の中心とを一致させた状態で、歯車３０の取付孔３２及び回転基体２２の図外のねじ孔に締結される止ねじ３８で回転基体２２の後面に取付けられる。歯車３０の中心孔３１及びブッシュ２８の軸受孔３７を貫通する回転中心軸７の前端部４０は、歯車３０の中心孔３１及び軸受孔３７を貫通する長さに形成され、軸径が歯車３０の中心孔３１及び軸受孔３７の径と同じ寸法に形成される。回転中心軸７の後端部４１の軸径は前端部４０の軸径より大きく、前端部４０と後端部４１との境界は段差部４２に形成される。歯車３０の中心孔３１及び軸受孔３７を貫通してブッシュ２８の前方に突出する回転中心軸７の前端部４０には止輪４３が取付けられる。よって、回転操作体３は段差部４２と止輪４３とで回転中心軸７の前端部４０に前後方向の移動を規制され前後のがたつきの少ない状態に取付けられる。
【００１２】
図４に戻って、グリップキャップ４の裏側にはグリップ本体側取付支柱８に対応するグリップキャップ側取付支柱４５が設けられる。グリップ本体側取付支柱８には、部品収納凹部６の壁部４６の外面４７から前端面４８に向けて延長する図外の中空孔が形成され、前端面４８には部品収納凹部６の壁部４６の外面４７側から中空孔に挿入される連結ねじ４９が貫通する貫通孔５０が形成されており、中空孔内に連結ねじ４９のねじ頭５１が係止される。グリップキャップ側取付支柱４５の後端には雌ねじ部５３が形成されており、この雌ねじ部５３と貫通孔５０より前方に突出した連結ねじ４９の雄ねじ部５４とがねじ結合される。
【００１３】
回転基板２２の逃孔２７にグリップ本体側取付支柱８を取込んで回転操作体３と一緒に回転する歯車３０とボリューム軸１５の先端２０に取付けられた歯車２１とを噛み合せた状態にした後に、部品収納凹部６の壁部４６の外面４７からグリップ本体側取付支柱８の中空孔に連結ねじ４９を挿入してグリップキャップ側取付支柱４５の雌ねじ部５３にねじ結合することにより、グリップ本体側取付支柱８とグリップキャップ側取付支柱４５とが互いに連結ねじ４９で連結され、回転操作体３を回転可能な態様（回転維持形態）にグリップキャップ４とグリップ本体２とが互いに連結される。
【００１４】
図３に戻り、ボリューム１１のボリューム軸１５の先端部２０にボリューム軸１５に対して回転不能に取付けられた歯車２１と部品取付ベース１０との間にはボリューム軸１５を囲むように戻しばね１２が設けられる。戻しばね１２は、コイルスプリングまたは渦巻スプリングにより構成される。戻しばね１２の一端５６は歯車２１に設けられた図外の取付部に固定され、戻しばね１２の他端５７は取付ベース１０に固定される。戻しばね１２により回転操作体３に戻し方向の力が付与されるので、回転操作体３を回転操作した後に手を離すと戻しばね１２に蓄えられた力により回転操作体３が回転して初期位置に戻る。グリップ本体２は、遊技機枠１００の後面９１から取付けられた止ねじ６０が回転中心軸７の後端面に前後方向に形成されたねじ孔６１に対して締結されることで遊技機枠１００の前面に固定される。ボリューム１１の出力端子６２に接続された信号出力線６３は、筒部５及び遊技機枠１００の前面に形成された配線通孔６４を通して図外の発射制御装置に接続される。尚、図３では、取付支柱８；４５、逃孔２７は省略している。
【００１５】
以上のように構成された発射操作装置１は、人が回転操作体３を回転操作すると、逃孔２７がグリップ本体側取付支柱８を逃孔２７内でよけるので、回転操作体３が回転可能である。回転操作体３が回転することにより歯車３０と歯車２１とが噛み合って歯車２１が回転してボリューム軸１５を回転させる。その回転量に応じてボリューム１１の抵抗値が変化することによって、回転操作体３の回転動作量に対応する電圧が図外の発射制御装置に出力され、これにより図外の発射機構装置のソレノイドやモータ等のアクチュエータに回転操作体３の操作量に応じた強さで球を発射させる。
【００１６】
図１に戻り、本形態の発射操作装置１の指挿入溝７７について説明する。遊技機枠１００の前面９０に固定されたグリップ本体２の外面としての部品収納凹部６の壁部４６（図４参照）の外面４７には後溝７２が設けられる。グリップ本体２に固定されたグリップキャップ４の外面７６にも前溝７３が設けられる。グリップ本体２とグリップキャップ４との間に挟まれて回転可能に設けられた回転操作体３の周面には中央溝７４が設けられる。後溝７２は壁部４６の外面４７において壁部４６の前端７５から筒部５の外面の方向に向けて前後方向に直線的に延長して設けられる。後溝７２の横幅Ｗ１（図５参照）は指が入り得る寸法に形成される。前溝７３はグリップキャップ４の外面７６においてグリップキャップ４の後端７９（図５参照）から前方に向けて前後方向に直線的に延長して設けられる。前溝７３の横幅Ｗ２（図５参照）は指が入り得る寸法に形成される。中央溝７４は回転操作体３の指掛け部２４の左側の立ち上がり部分の根元に形成される。中央溝７４は回転操作体３の周面７８において回転操作体３の前面から後面にかけて前後方向に直線的に延長して設けられる。中央溝７４の横幅Ｗ３（図５参照）は指が入り得る寸法に形成される。図１においては、グリップ本体２の壁部４６の外面４７とグリップキャップ４の外面７６とにグリップ本体２とグリップキャップ４とにわたる前後方向に延長する一対の前溝７３及び後溝７２の組が３組設けられ、中央溝７４が指掛け部２４の左側の立ち上がり部分の根元に１つだけ形成された形態を示し、指掛け部２３；２５は省略してある。図１（a）は回転操作体３が初期位置にある場合を示してあり、前溝７３；後溝７２は初期位置にある回転操作体３の中央溝７４より回転操作体３の回転方向Ｘ（戻しばね１２のばね力に抗して回転操作体３を回転させる方向）側に位置する。よって、遊技者が例えば人指し指を指掛け部２４に掛けて回転操作体３を回転させ、中央溝７４が１組の前溝７３；後溝７２と連接する位置にきた場合に、中央溝７４と一対の１組の前溝７３；後溝７２とが前後方向に対向して形成する直線的な指挿入溝７７内に人指し指の中間部を挿入する。これにより、人指し指の先端部が固定物であるグリップ本体２の後溝７２内に入り込み、人指し指の根元部が固定物であるグリップキャップ４の前溝７３内に入り込み、指の中間部が可動物である回転操作体３の中央溝７４内に入り込むので、人指し指が戻しばね１２の戻り力に抗して回転操作体３の回転方向にふらつくことなく所定位置に安定し、人指し指が回転操作体３を遊技者の所望する所定回転位置に適切に維持する。即ち、回転操作体３が回転されることによって、中央溝７４と一対の前溝７３；後溝７２とが前後方向に対向して直線的な指挿入溝７７を形成し、指挿入溝７７内に入り込む人指し指が閂となる。つまり、人指し指の先端部と根元部とが回転操作体３の前後に位置する固定物に設けられた後溝７２内と前溝７３内にはまり込み、人指し指の中間部が中央溝７４にはまり込むというように、人指し指が閂となる。これによって、人差し指は、前後に位置する固定物に設けられた前溝７３；後溝７２で両持ち梁のような形態となるので、回転操作体３が戻しばね１２の戻り力��よって中央溝７４にはまり込んでいる人差し指の中間部を押圧しても、人指し指の前後に位置する固定物を基準とする一本の棒のような閂の形態が変ることはない。このようなことから、遊技者は人差し指に人指し指を所望する所定回転位置に回転操作体３を止めようとするための力を入れることなく、遊技者は回転操作体３を所望する所定位置に適切に維持することができる。換言するならば、遊技者は、人差し指を指挿入溝７７に置くだけの負担の少ない操作で回転操作体３を所望する所定回転位置に疲労感なく適切に維持することができる。ここでは、一対の前溝７３及び後溝７２の組が３組設けられているので、図５（ａ）〜（ｃ）に示すように回転操作体３の中央溝７４が好みの位置の前溝７３及び後溝７２と連接される位置まで回転操作体３を回転させて形成される指挿入溝７７内に指の中間部を挿入して回転操作体３を所望する所定回転位置に適切に維持することで、発射力を変更できる。また、遊技者の体格の大型化に適合させるためにグリップキャップ４や回転操作体３及びグリップ本体２を大形化したとしても、体格の小柄な遊技者も大柄な遊技者と同様に指挿入溝７７内に指を置くだけのような負担の少ない操作で疲労感なく回転操作体３を所望する所定回転位置に適切に維持することができるようになる。言い換えれば、体格の大柄な遊技者に適合するようにグリップキャップ４や回転操作体３及びグリップ本体２の大形化を図れるととともにこのような大形化を図ったとしても体格の小柄な遊技者にとって大柄な遊技者と同様に指挿入溝７７内に指を置くだけのような負担の少ない操作で疲労感なく回転操作体３を所望する所定回転位置に適切に維持することができる操作性の良いパチンコ機の発射操作装置１を得ることができる。
【産業上の利用可能性】
【００１７】
図６に示すように、指掛け部２３；２５の左側の立ち上がり部分の根元にも中央溝７４を設けることで、親指や中指を挿入する指挿入溝７７を形成することも可能である。グリップ本体２の外面とグリップキャップ４の外面とにグリップ本体２とグリップキャップ４とにわたる前後方向に延長する一対の前溝７３及び後溝７２の組は１組以上であればよい。回転操作体３の周面に設ける中央溝７４は１以上であればよい。戻しばね１２を内蔵せず、回転操作体を手で回して初期位置に戻す形態の発射操作装置にも最良形態の構造を採用することで、回転操作体３を遊技者の所望する所定回転位置に適切に維持することができ、しかも指挿入溝７７に指を挿入するという操作だけで回転操作体３のふらつきを少なくできる構造の発射操作装置１を提供できる。
【図面の簡単な説明】
【００１８】
【図１】（ａ）は回転操作体が初期位置に有る場合の発射操作装置の外観を示す斜視図、（ｂ）は回転操作体が回転されて形成された指挿入溝を示す斜視図（最良の形態）。
【図２】発射操作装置の側面図（最良の形態）。
【図３】発射操作装置の断面図（最良の形態）。
【図４】発射操作装置の分解斜視図（最良の形態）。
【図５】回転操作体の動きと指挿入溝との関係を示す平面図（最良の形態）。
【図６】発射操作装置の他例を示す平面図。
【図７】従来の発射操作装置の平面図。
【符号の説明】
【００１９】
１  発射操作装置、２  グリップ本体、３  回転操作体、４  グリップキャップ、
４７  グリップ本体の壁部の外面（グリップ本体の外面）、７２  後溝、７３  前溝、
７４  中央溝、７６  グリップキャップの外面、７７  指挿入溝、
７８  回転操作体の周面。
【図１】
2006158786.tif 000003
【図２】
2006158786.tif 000004
【図３】
2006158786.tif 000005
【図４】
2006158786.tif 000006
【図５】
2006158786.tif 000007
【図６】
2006158786.tif 000008
【図７】
2006158786.tif 000009